(57)【要約】【課題】光の利用効率を高めることが可能な描画玩具を提供する。【解決手段】描画玩具１は、シートが載置可能な載置面２ａを有する載置部２と、載置部２の側縁２ｃに隣設された発光部３と、筐体５と、を備え、載置部２は、載置面２ａと反対側の面２ｂは、発光部３から側縁２ｃを通して載置部２に入射した光を載置面２ａに導光可能な導光面とされている。【選択図】図１
2016013297.tif 000002
【特許請求の範囲】
【請求項１】
シートが載置可能な載置面を有する載置部と、
前記載置部の側縁に隣設された発光部と、
筐体と、
を備え、
前記載置部は、前記載置面と反対側の面は、前記発光部から前記側縁を通して該載置部に入射した光を前記載置面に導光可能な導光面とされている描画玩具。
【請求項２】
請求項１記載の描画玩具であって、
前記発光部は、前記載置部の前記側縁に密接して配置されている描画玩具。
【請求項３】
請求項１又は２記載の描画玩具であって、
前記載置部の前記導光面が、該導光面に対向する前記筐体の底部に支持されている描画玩具。
【請求項４】
請求項３記載の描画玩具であって、
前記導光面は、面内に分散して設けられた多数の凸部を有する描画玩具。
【請求項５】
請求項１から４のいずれか一項記載の描画玩具であって、
前記載置部の前記導光面に隣設された反射シートをさらに備える描画玩具。
【請求項６】
請求項５記載の描画玩具であって、
前記反射シートは、前記載置部の前記導光面と該導光面に対向する前記筐体の底部に挟持されている描画玩具。
【請求項７】
請求項１から６のいずれか一項記載の描画玩具であって、
前記発光部は、第１の色にて発光する第１のモードと、前記第１の色とは異なる色にて発光する第２のモードとで、モード切替可能に構成されている描画玩具。
【請求項８】
請求項７記載の描画玩具であって、
前記発光部は、前記第２のモードにおいて、互いに異なる第２の色及び第３の色にて発光する描画玩具。
【請求項９】
請求項８記載の描画玩具であって、
前記発光部は、交互に前記第２の色及び前記第３の色にて発光する描画玩具。
【請求項１０】
請求項９記載の描画玩具であって、
前記載置部は、前記第２の色と同系色にて描画された第１シートと、前記第３の色と同系色にて描画された第２シートとが、積層されて載置可能である描画玩具。
【請求項１１】
請求項１０記載の描画玩具であって、
前記載置部は、該載置部に積層されて載置された前記第１シート及び前記第２シートを透視可能に覆う被覆シートが載置可能である描画玩具。
【請求項１２】
請求項１１記載の描画玩具であって、
前記被覆シートは、前記第２の色と同系色、又は前記第３の色と同系色である描画玩具。
【請求項１３】
請求項７から１２のいずれか一項記載の描画玩具であって、
前記発光部が前記第１の色にて発光している状態で、前記載置部に積層されて載置された二枚のシートのうち、上に配置された一方のシートを透かして下に配置されたシートに描画されている元絵が視認可能である描画玩具。
【請求項１４】
請求項１２に記載の描画玩具であって、
前記発光部が前記第２の色と前記第３の色とで交互に発光している状態で、前記被覆シートに被覆されて前記載置部に積層された前記第１シート及び前記第２シートの各々に描画された絵が、前記発光部の発光色の切り替わりに合わせて交互に視認可能である描画玩具。
【請求項１５】
請求項１から１４のいずれか一項記載の描画玩具であって、
前記載置部は、一部材から構成されていることを特徴とする描画玩具。
【発明の詳細な説明】
【技術分野】
【０００１】
本発明は、描画玩具に関する。
【背景技術】
【０００２】
特許文献１に記載された描画玩具は、本絵が描画されている原シート及び原シートに描画された本絵を写しとる複写シートが載置される透明板と、透明板の下に配置された乳白シートと、乳白シートの下に配置された乱反射板と、乱反射板の周縁の端面に配置された発光ダイオードと、を備える。
【０００３】
発光ダイオードから乱反射板の端面を通して乱反射板に入射した光が乱反射板及び乳白シートによって拡散され、透明板に載置されているシートが透明板の領域全体にわたって照明される。それにより、複写シートを透かして原シートに描画されている本絵が視認され、本絵を複写シートに写しとることが可能となる。
【先行技術文献】
【特許文献】
【０００４】
【特許文献１】実用新案登録第３１７８０６１号公報
【発明の概要】
【発明が解決しようとする課題】
【０００５】
特許文献１に記載された描画玩具では、発光ダイオードから出射された光は、乱反射板及び乳白シートを経て透明板に導光される。透明板及び乳白シート並びに乱反射板は別部材であるので、透明板と乳白シートとの間、及び乳白シートと乱反射板との間で、屈折率差に起因して反射が生じる。かかる反射は、透明板に載置されたシートを照明する照明光の光量ロスの要因となる。
【０００６】
本発明は、光の利用効率を高めることが可能な描画玩具を提供することを目的とする。
【課題を解決するための手段】
【０００７】
本発明に係る描画玩具は、シートが載置可能な載置面を有する載置部と、前記載置部の側縁に隣設された発光部と、筐体と、を備え、前記載置部は、前記載置面と反対側の面は、前記発光部から前記側縁を通して該載置部に入射した光を前記載置面に導光可能な導光面とされていることを特徴としている。
【０００８】
また、本発明に係る描画玩具においては、前記発光部は、前記載置部の前記側縁に密接して配置されていてもよい。
【０００９】
また、本発明に係る描画玩具においては、前記載置部の前記導光面が、該導光面に対向する前記筐体の底部に支持されていてもよい。
【００１０】
また、本発明に係る描画玩具においては、前記導光面は、面内に分散して設けられた多数の凸部を有していてもよい。
【００１１】
また、本発明に係る描画玩具においては、前記載置部の前記導光面に隣設された反射シートをさらに備えていてもよい。
【００１２】
また、本発明に係る描画玩具においては、前記反射シートは、前記載置部の前記導光面と該導光面に対向する前記筐体の底部に挟持されていてもよい。
【００１３】
また、本発明に係る描画玩具においては、前記発光部は、第１の色にて発光する第１のモードと、前記第１の色とは異なる色にて発光する第２のモードとで、モード切替可能に構成されていてもよい。
【００１４】
また、本発明に係る描画玩具においては、前記発光部は、前記第２のモードにおいて、互いに異なる第２の色及び第３の色にて発光してもよい。
【００１５】
また、本発明に係る描画玩具においては、前記発光部は、交互に前記第２の色及び前記第３の色にて発光してもよい。
【００１６】
また、本発明に係る描画玩具においては、前記載置部は、前記第２の色と同系色にて描画された第１シートと、前記第３の色と同系色にて描画された第２シートとが、積層されて載置可能であってもよい。
【００１７】
また、本発明に係る描画玩具においては、前記載置部は、該載置部に積層されて載置された前記第１シート及び前記第２シートを透視可能に覆う被覆シートが載置可能であってもよい。
【００１８】
また、本発明に係る描画玩具においては、前記被覆シートは、前記第２の色と同系色、又は前記第３の色と同系色であってもよい。
【００１９】
また、本発明に係る描画玩具においては、前記発光部が前記第１の色にて発光している状態で、前記載置部に積層されて載置された二枚のシートのうち、上に配置された一方のシートを透かして下に配置されたシートに描画されている元絵が視認可能であってもよい。
【００２０】
また、本発明に係る描画玩具においては、前記発光部が前記第２の色と前記第３の色とで交互に発光している状態で、前記被覆シートに被覆されて前記載置部に積層された前記第１シート及び前記第２シートの各々に描画された絵が、前記発光部の発光色の切り替わりに合わせて交互に視認可能であってもよい。
【００２１】
また、本発明に係る描画玩具においては、前記載置部が、一部材から構成されているようにしてもよい。
【発明の効果】
【００２２】
本発明によれば、光の利用効率を高めることが可能な描画玩具を提供することができる。
【図面の簡単な説明】
【００２３】
【図１】本発明の実施形態を説明するための、描画玩具の一例の構成を分解して示す図である。
【図２】図１の描画玩具の断面を示す図である。
【図３】図１の描画玩具の使用例を示す図である。
【図４】図１の描画玩具の他の使用例を示す図である。
【図５】図４の使用例においてシートに描画されている絵の表示態様の一例を示す図である。
【発明を実施するための形態】
【００２４】
図１は、本発明の実施形態を説明するための、描画玩具の一例の構成を示し、図２は、図１の描画玩具の断面を示す。
【００２５】
図１に示す描画玩具１は、本絵が描画されている原シートや原シートに描画された本絵を写しとる複写シートなどのシートが載置される載置部２と、載置部２に載置されたシートを照明する照明光を生成する発光部３と、反射シート４と、これら載置部２、発光部３、反射シート４を収納する筐体５とを備えている。
【００２６】
載置部２は、例えばアクリルなどの透明樹脂からなる略矩形状の板材からなり、一部材で構成されている。載置部２の一方の表面２ａは、上記シートが載置可能な載置面とされており、載置面２ａは筐体５に形成された窓部６をとおして露出される。
【００２７】
発光部３は、光源としての複数のＬＥＤ７と、ＬＥＤ７の点灯を制御する制御ＩＣ（図示せず）及びＬＥＤ７及び制御ＩＣに電力を供給する電源（図示せず）と、操作スイッチ８とを有する。
【００２８】
複数のＬＥＤ７は、白色（第１の色）に発光するＬＥＤ７ｗ、赤色（第２の色）に発光するＬＥＤ７ｒ、青色（第３の色）に発光するＬＥＤ７ｂを含む。
【００２９】
上記制御ＩＣは、白色ＬＥＤ７ｗを連続点灯させる第１のモード、赤色ＬＥＤ７ｒ及び青色ＬＥＤ７ｂを交互に点灯させる第２のモードを有している。上記制御ＩＣの動作モードは、操作スイッチ８に対する操作に応じて、消灯→第１のモード→第２のモード→消灯→・・・に順次切り替わる。
【００３０】
複数のＬＥＤ７は、図示の例では、載置部２の一辺の側縁２ｃに沿って配置されている。ＬＥＤ７の各々から出射された光は、側縁２ｃをとおして載置部２に入射する。好ましくは、ＬＥＤ７の各々は、図２に示すように、側縁２ｃに密接して配置される。ＬＥＤ７を側縁２ｃに密接して配置することにより、ＬＥＤ７の各々の出射光が側縁２ｃとＬＥＤ７との間で反射されることを抑制し、出射光を載置部２に効率よく入射させることができる。それにより、ＬＥＤ７の各々の出射光が載置部２に載置されたシートを照明する照明光として利用される効率を高めることができる。
【００３１】
なお、図示の例では、ＬＥＤ７は、載置部２の一辺の側縁２ｃに配置されているが、例えば対辺の側縁２ｄにも配置することができ、また、四辺の側縁に配置することもできる。
【００３２】
載置部２の載置面２ａとは反対側の表面２ｂは、ＬＥＤ７の各々から載置部２に入射した光を載置面２ａに導光可能な導光面とされている。導光面２ｂは、粗面とされており、載置部２に入射した光を散乱させ、入射光を載置面２ａの略全面にわたって拡散させる。
【００３３】
導光面２ｂは、導光面２ｂに対向する筐体５の底部９に支持されている。例えば載置面２ａに原シート及び複写シートが載置され、原シートに描画された本絵が複写シートに写しとられる際に載置部２には負荷が作用するが、導光面２ｂが筐体５の底部９に支持されていることにより、載置部２の撓みを抑制することができる。
【００３４】
好ましくは、筐体５の底部９によって支持される導光面２ｂは、図２に示すように、面内に分散して設けられた多数の微小な凸部１０を有する。多数の凸部１０によって、導光面２ｂと筐体５の底部９との間に空気層を形成し、導光面２ｂと筐体５の底部９との間で屈折率差に起因した反射を積極的に生じさせることにより、載置部２に入射した光を効率的に載置面２ａに導光することが可能となる。それにより、ＬＥＤ７の各々の出射光が載置部２に載置されたシートを照明する照明光として利用される効率を高めることができる。また、これら多数の凸部１０によって導光面２ｂを粗面化することもできる。
【００３５】
反射シート４は、載置部２の導光面２ｂに隣設されており、導光面２ｂに反射されることなく筐体５の底部９に向けて載置部２から出射された光を再び載置部２に向けて反射する。それにより、ＬＥＤ７の各々の出射光が載置部２に載置されたシートを照明する照明光として利用される効率を高めることができる。反射シート４としては、例えば乳白色の紙材を用いることができる。
【００３６】
反射シート４は、図２に示すように、導光面２ｂと筐体５の底部９とで挟んで保持されている。このように、載置部２の導光面２ｂが筐体５の底部９に支持されている本例においては、反射シート４の保持を簡略化でき、描画玩具１のコストを削減可能である。
【００３７】
図３は、描画玩具１の使用例を示す図である。
【００３８】
図３は、原シート１１及び複写シート１２がこの順に載置部２の載置面２ａに載置され、原シート１１に描画された本絵Ｐｉｃを原シート１１上に重ねられた複写シート１２に写し取る場合の使用例を示す。本使用例では、発光部３は、上記第１のモードで動作され、白色ＬＥＤ７ｗが連続点灯される。
【００３９】
白色ＬＥＤ７ｗから載置部２に入射した光は、主として載置部２の導光面２ｂにて散乱されて載置面２ａの略全面にわたって拡散され、載置面２ａに載置されている原シート１１及び複写シート１２が載置面２ａの領域全体にわたって照明される。それにより、複写シート１２を透かして原シート１１に描画されている本絵Ｐｉｃが視認され、本絵Ｐｉｃを複写シート１２に写しとることが可能となる。
【００４０】
本実施形態においては、載置部２が一部材で構成されていることから、複数部材で構成されている場合の部材間の屈折率差に起因する反射がなく、白色ＬＥＤ７の各々の出射光が載置部２に載置されたシートを照明する照明光として利用される効率が高まる。それにより、複写シート１２を透かして視認される原シート１１の本絵Ｐｉｃの視認性を高めることができる。また、前掲の特許文献１のように、発光ダイオードから出射された光を透明板に載置されたシートに導く導光体が複数の部材によって構成されている場合コストが嵩むが、本実施形態においては、載置部２を一部材で構成することにより、これを複数部材で構成する場合に比べて、描画玩具１のコストを削減可能となる。
【００４１】
図４は、描画玩具１の他の使用例を示す図である。
【００４２】
図４は、異なる絵がそれぞれ描写された第１シート１３及び第２シート１４、並びに第１シート１３及び第２シート１４を透視可能に覆う被覆シート１５が載置部２の載置面２ａに載置され、第１シート１３及び第２シート１４にそれぞれ描画された絵によって擬似的な動画を表示させる場合の使用例を示す。本使用例では、発光部３は、上記第２のモードで動作され、赤色ＬＥＤ７ｒ及び青色ＬＥＤ７ｂが交互に点灯される。
【００４３】
第１シート１３には、赤色ＬＥＤ７ｒの出射光の色に対応して赤系統の色で絵Ｐｉｃ１が描画されており、第２シート１４には青色ＬＥＤ７ｂの出射光の色に対応して青系統の色で絵Ｐｉｃ２が描画されている。
【００４４】
第１シート１３及び第２シート１４を透視可能に覆う被覆シート１５は、赤色ＬＥＤ７ｒの出射光の色（赤色）、又は青色ＬＥＤ７ｂの出射光の色（青色）のいずれかと同系色の透明な部材であり、本例では赤色ＬＥＤ７ｒの出射光の色と同系の赤色とされている。
【００４５】
第１シート１３及び第２シート１４は、被覆シート１５と同系色にて絵が描画されている第１シート１３を上にして積層され、そして、被覆シート１５に被覆された状態で載置部２の載置面２ａに載置される。
【００４６】
図５は、図４の使用例において第１シート１３及び第２シート１４にそれぞれ描画されている絵の表示態様の一例を示し、図５（Ａ）は赤色ＬＥＤ７ｒが点灯された状態を、図５（Ｂ）は青色ＬＥＤ７ｂが点灯された状態をそれぞれ示す。
【００４７】
図５（Ａ）に示すように、赤色ＬＥＤ７ｒが点灯され、第１シート１３及び第２シート１４が赤色の照明光によって照明されている場合に、青色にて描画されている第２シート１４の絵Ｐｉｃ２の視認性が高まる。一方、赤色の照明光と同系の赤色にて描画されている第１シート１３の絵Ｐｉｃ１は、赤色の照明光によって照明されることにより第１シート１３における他の領域との色調の差が小さくなり、且つ赤色の被覆シート１５によって覆われているため、視認性が低下する。
【００４８】
図５（Ｂ）に示すように、青色ＬＥＤ７ｂが点灯され、第１シート１３及び第２シート１４が青色の照明光によって照明されている場合に、赤色にて描画されている第１シート１３の絵Ｐｉｃ１の視認性が高まる。一方、青色の照明光と同系の青色にて描画されている第２シート１４の絵Ｐｉｃ２は、青色の照明光によって照明されることにより第２シート１４における他の領域との色調の差が小さくなり、且つ第１シート１３によって覆われているため、視認性が低下する。
【００４９】
そこで、赤色ＬＥＤ７ｒ及び青色ＬＥＤ７ｂが交互に点灯されることにより、第１シート１３に描画された絵Ｐｉｃ１及び第２シート１４に描画された絵Ｐｉｃ２が交互に視認される。それにより、第１シート１３に描画された絵Ｐｉｃ１及び第２シート１４に描画された絵Ｐｉｃ２によって擬似的な動画が表示可能となる。
【符号の説明】
【００５０】
１     描画玩具
２     載置部
２ａ   載置面
２ｂ   導光面
２ｃ   側縁
３     発光部
４     反射シート
５     筐体
７     ＬＥＤ
９     底部
１０   凸部
１１   原シート
１２   複写シート
１３   第１シート
１４   第２シート
１５   被覆シート
【図１】
2016013297.tif 000003
【図２】
2016013297.tif 000004
【図３】
2016013297.tif 000005
【図４】
2016013297.tif 000006
【図５】
2016013297.tif 000007
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
シートが載置可能な載置面を有する載置部と、
前記載置部の側縁に隣設された発光部と、
筐体と、
を備え、
前記載置部は、前記載置面と反対側の面は、前記発光部から前記側縁を通して該載置部に入射した光を前記載置面に導光可能な導光面とされ、
前記発光部は、第１の色にて発光する第１のモードと、前記第１の色とは異なる色にて発光する第２のモードとで、モード切替可能に構成されている描画玩具。
【請求項２】
請求項１記載の描画玩具であって、
前記発光部は、前記載置部の前記側縁に密接して配置されている描画玩具。
【請求項３】
請求項１又は２記載の描画玩具であって、
前記載置部の前記導光面が、該導光面に対向する前記筐体の底部に支持されている描画玩具。
【請求項４】
請求項３記載の描画玩具であって、
前記導光面は、面内に分散して設けられた多数の凸部を有する描画玩具。
【請求項５】
請求項１から４のいずれか一項記載の描画玩具であって、
前記載置部の前記導光面に隣設された反射シートをさらに備える描画玩具。
【請求項６】
請求項５記載の描画玩具であって、
前記反射シートは、前記載置部の前記導光面と該導光面に対向する前記筐体の底部に挟持されている描画玩具。
【請求項７】
請求項１から６のいずれか一項記載の描画玩具であって、
前記発光部は、前記第２のモードにおいて、互いに異なる第２の色及び第３の色にて発光する描画玩具。
【請求項８】
請求項７記載の描画玩具であって、
前記発光部は、交互に前記第２の色及び前記第３の色にて発光する描画玩具。
【請求項９】
請求項８記載の描画玩具であって、
前記載置部は、前記第２の色と同系色にて描画された第１シートと、前記第３の色と同系色にて描画された第２シートとが、積層されて載置可能である描画玩具。
【請求項１０】
請求項９記載の描画玩具であって、
前記載置部は、該載置部に積層されて載置された前記第１シート及び前記第２シートを透視可能に覆う被覆シートが載置可能である描画玩具。
【請求項１１】
請求項１０記載の描画玩具であって、
前記被覆シートは、前記第２の色と同系色、又は前記第３の色と同系色である描画玩具。
【請求項１２】
請求項１から１１のいずれか一項記載の描画玩具であって、
前記発光部が前記第１の色にて発光している状態で、前記載置部に積層されて載置された二枚のシートのうち、上に配置された一方のシートを透かして下に配置されたシートに描画されている元絵が視認可能である描画玩具。
【請求項１３】
請求項１１に記載の描画玩具であって、
前記発光部が前記第２の色と前記第３の色とで交互に発光している状態で、前記被覆シートに被覆されて前記載置部に積層された前記第１シート及び前記第２シートの各々に描画された絵が、前記発光部の発光色の切り替わりに合わせて交互に視認可能である描画玩具。
【請求項１４】
請求項１から１３のいずれか一項記載の描画玩具であって、
前記載置部は、一部材から構成されていることを特徴とする描画玩具。
【手続補正２】
【補正対象書類名】明細書
【補正対象項目名】０００７
【補正方法】変更
【補正の内容】
【０００７】
本発明に係る描画玩具は、シートが載置可能な載置面を有する載置部と、前記載置部の側縁に隣設された発光部と、筐体と、を備え、前記載置部は、前記載置面と反対側の面は、前記発光部から前記側縁を通して該載置部に入射した光を前記載置面に導光可能な導光面とされていることを特徴としている。
また、本発明に係る描画玩具は、シートが載置可能な載置面を有する載置部と、前記載置部の側縁に隣設された発光部と、筐体と、を備え、前記載置部は、前記載置面と反対側の面は、前記発光部から前記側縁を通して該載置部に入射した光を前記載置面に導光可能な導光面とされ、前記発光部は、第１の色にて発光する第１のモードと、前記第１の色とは異なる色にて発光する第２のモードとで、モード切替可能に構成されている。